【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
感光体と、
帯電バイアスが印加されることにより、前記感光体と対向する帯電位置にて前記感光体を帯電する帯電手段と、
転写バイアスが印加されることにより、前記感光体上に形成されたトナー像を転写位置において被転写材に転写する転写手段と、
前記転写バイアスを出力する転写バイアス出力手段と、
画像形成の開始に伴い、前記帯電バイアスの立ち上がりを開始したときに前記帯電位置を通過した前記感光体の領域が前記転写位置を通過するタイミング以降、かつ、前記帯電バイアスの立ち上がりを完了したときに前記帯電位置を通過した前記感光体の領域が前記転写位置を通過するタイミングまでに前記転写バイアスの立ち上がりを完了するように前記転写バイアス出力手段を制御すると共に、前記転写バイアスの立ち上げを開始してから所定のタイミングにおいて、所定の電圧が印加されるように前記転写バイアス出力手段を制御する制御部と、を備える、
ことを特徴とする画像形成装置。
【請求項２】
前記制御部は、前記帯電バイアスの立ち上がりを完了したときに前記帯電位置を通過した前記感光体の領域が前記転写位置を通過するタイミング以降、前記転写バイアスの立ち上がりを開始してから予め設定した所定時間で前記転写バイアスの立ち上がりを完了する、
ことを特徴とする請求項１に記載の画像形成装置。
【請求項３】
前記制御部は、前記転写バイアスの立ち上がりを開始してから完了するまでの全立上時間の間、前記感光体の表面電位と前記感光体に流れ込む転写電流との関係が所定範囲内になるように制御する、
ことを特徴とする請求項１又は２に記載の画像形成装置。
【請求項４】
前記制御部は、前記帯電バイアスの立ち上がりを開始したときに前記帯電位置を通過した前記感光体の領域が前記転写位置を通過するタイミングと前記転写バイアスの立ち上がりを開始するタイミングとの差分時間が、前記帯電バイアスの立ち上がりを開始してから完了するまでの全立上時間の２０％以内の時間になるように制御する、
ことを特徴とする請求項１乃至３のいずれか１項に記載の画像形成装置。
【請求項５】
前記制御部は、前記差分時間が前記帯電バイアスの全立上時間の１０％以内の時間になるように制御する、
ことを特徴とする請求項４に記載の画像形成装置。
【請求項６】
前記制御部は、前記差分時間を０とし、前記帯電バイアスの立ち上がりを開始したときに前記帯電位置を通過した前記感光体の領域が前記転写位置を通過するタイミングで、前記転写バイアスの立ち上がりを開始するように制御する、
ことを特徴とする請求項５に記載の画像形成装置。
【請求項７】
前記制御部は、前記帯電バイアスの立ち上がりを完了したときに前記帯電位置を通過した前記感光体の領域が前記転写位置を通過するタイミングと前記転写バイアスの立ち上がりを完了するタイミングとの差分時間が、前記帯電バイアスの立ち上がりを開始してから完了するまでの全立上時間の２０％以内の時間になるように制御する、
ことを特徴とする請求項１乃至６のいずれか１項に記載の画像形成装置。
【請求項８】
前記制御部は、前記差分時間が前記帯電バイアスの全立上時間の１０％以内の時間になるように制御する、
ことを特徴とする請求項７に記載の画像形成装置。
【請求項９】
前記制御部は、前記差分時間を０とし、前記帯電バイアスの立ち上がりを完了したときに前記帯電位置を通過した前記感光体の領域が前記転写位置を通過するタイミングで、前記転写バイアスの立ち上がりを完了するように制御する、
ことを特徴とする請求項８に記載の画像形成装置。
【請求項１０】
前記制御部は、前記帯電バイアスの立ち上がりを開始してから完了するまでの全立上時間と、前記転写バイアスの立ち上がりを開始してから完了するまでの全立上時間と、の重複時間が、前記帯電バイアス又は前記転写バイアスの立ち上がりを開始してから完了するまでの全立上時間の７０％以上の時間になるように制御する、
ことを特徴とする請求項１乃至９のいずれか１項に記載の画像形成装置。
【請求項１１】
前記制御部は、前記重複時間が前記帯電バイアス又は前記転写バイアスの全立上時間の８０％以上の時間になるように制御する、
ことを特徴とする請求項１０に記載の画像形成装置。
【請求項１２】
前記転写手段に流れる電流を検出可能な電流検出回路を備え、
前記制御部は、非画像形成時に前記転写手段に所定の転写バイアスを印加し、その際に前記電流検出回路の検出結果より画像形成時の前記転写バイアスの電圧値を算出する、
ことを特徴とする請求項１乃至１１のいずれか１項に記載の画像形成装置。
【請求項１３】
前記制御部は、前記転写バイアスの立ち上げを開始してから完了するまでの全立上時間の間、前記転写バイアスを直線状に立ち上げる、
ことを特徴とする請求項１乃至１２のいずれか１項に記載の画像形成装置。
【請求項１４】
前記制御部は、前記転写バイアスの立ち上げを開始してから完了するまでの全立上時間の間、前記転写バイアスを段階的に立ち上げる、
ことを特徴とする請求項１乃至１２のいずれか１項に記載の画像形成装置。
【手続補正２】
【補正対象書類名】明細書
【補正対象項目名】００１１
【補正方法】変更
【補正の内容】
【００１１】
本発明の画像形成装置は、感光体と、帯電バイアスが印加されることにより、前記感光体と対向する帯電位置にて前記感光体を帯電する帯電手段と、転写バイアスが印加されることにより、前記感光体上に形成されたトナー像を転写位置において被転写材に転写する転写手段と、前記転写バイアスを出力する転写バイアス出力手段と、画像形成の開始に伴い、前記帯電バイアスの立ち上がりを開始したときに前記帯電位置を通過した前記感光体の領域が前記転写位置を通過するタイミング以降、かつ、前記帯電バイアスの立ち上がりを完了したときに前記帯電位置を通過した前記感光体の領域が前記転写位置を通過するタイミングまでに前記転写バイアスの立ち上がりを完了するように前記転写バイアス出力手段を制御すると共に、前記転写バイアスの立ち上げを開始してから所定のタイミングにおいて、所定の電圧が印加されるように前記転写バイアス出力手段を制御する制御部と、を備えることを特徴とする。
【手続補正３】
【補正対象書類名】明細書
【補正対象項目名】００１２
【補正方法】変更
【補正の内容】
【００１２】
本発明によれば、制御部は、帯電バイアスの立ち上がりを開始したときに帯電位置を通過した感光体の領域が転写位置を通過するタイミングに対応するように、転写バイアスの立ち上がりを開始するように制御する。また、制御部は、帯電バイアスの立ち上がりを完了したときに帯電位置を通過した感光体の領域が転写位置を通過するタイミングに対応するように、転写バイアスの立ち上がりを完了するように制御する。このため、帯電バイアスの立ち上がりを完了したときに帯電位置を通過した感光体の領域が転写位置を通過するタイミング後に転写バイアスの立ち上がりを開始する場合に比べて、ＦＣＯＴを短縮することができる。また、感光体の表面の負電位の帯電が不十分な状態で転写バイアスを印加してポジ帯電させてしまうことを防止して、帯電電位のムラを低減し、出力画像の濃度段差や横スジの発生を抑制することができる。
【手続補正４】
【補正対象書類名】明細書
【補正対象項目名】００１８
【補正方法】変更
【補正の内容】
【００１８】
画像形成ユニット５０は、トナー画像を形成する感光ドラム（感光体）５１と、帯電ローラ（帯電手段）５２と、現像装置（現像手段）５３と、規制ブレード５４とを備えている。感光ドラム５１と帯電ローラ５２は、不図示のドラムモータによって駆動される。
【手続補正５】
【補正対象書類名】明細書
【補正対象項目名】００２０
【補正方法】変更
【補正の内容】
【００２０】
現像装置５３では、不図示の高圧電源によって、現像スリーブ５５に高電圧の現像バイアス（現像ＤＣ、図６参照）が印加される。負電荷のトナーが現像スリーブより正電位（現像スリーブ５５より正、ＧＮＤに対して負）の潜像に現像され、一次転写ローラ（転写手段）４７の方向に回転していく。即ち、現像装置５３は、現像バイアスが印加されることにより、感光ドラム５１上（感光体上）に形成された静電像をトナーで現像する。感光ドラム５１に現像されたトナー像は、後述する中間転写ベルト４４ｂに一次転写される。規制ブレード５４は、感光ドラム５１の表面に接して配置され、感光ドラム５１の表面に残留する転写残留トナー等の残留物を清掃する。
【手続補正６】
【補正対象書類名】明細書
【補正対象項目名】００８５
【補正方法】変更
【補正の内容】
【００８５】
１…画像形成装置、１１…制御部、４４ｂ…中間転写ベルト（被転写材）、４７，４７ｃ，４７ｋ，４７ｍ，４７ｙ…一次転写ローラ（転写手段）、５１，５１ｃ，５１ｋ，５１ｍ，５１ｙ…感光ドラム（感光体）、５２，５２ｃ，５２ｋ，５２ｍ，５２ｙ…帯電ローラ（帯電手段）、５３，５３ｃ，５３ｋ，５３ｍ，５３ｙ…現像装置（現像手段）、９０…一次転写高圧基板（転写バイアス出力手段）、９４…一次転写電流検出回路（電流検出回路）、Ｓ…シート（被転写材）、Ｔ１…帯電バイアスの全立上時間、Ｔ２…現像バイアスの全立上時間、Ｔ３…一次転写バイアスの全立上時間（転写バイアスの全立上時間）。